(57)【要約】【課題】ベース部からヘッド部を簡単に取り外せないようにして、外部の者が悪戯等でヘッド部を取り外すことを防げるともに、ヘッド部が不用意に落下することを防げる。【解決手段】天井面や壁面などに取付けられるベース部に感知部を内蔵したヘッド部を着脱可能に取り付けて使用するセキュリティーセンサであって、ベース部に可動爪機構を設け、ヘッド部に固定爪と、ヘッド部の外側から可動爪機構を解除操作可能な可動爪操作手段とを設けた構造としている。可動爪機構はベース部の内部に係止爪と受止片とを有した支持軸をロック方向に弾性付勢し枢支した構造とし、固定爪が係止爪に係止されるようにベース部とヘッド部とを重ねあわせて結合させ、ヘッド部の可動爪操作手段を操作し、可動爪機構の受止片を押圧することで、係止爪と固定爪との係止を解除してベース部とヘッド部とを分離させる構造にしている。【選択図】  図１
2005157623.tif 000002
【特許請求の範囲】
【請求項１】
天井面や壁面などに取付けられるベース部に、感知部を内蔵したヘッド部を着脱可能に取り付けて使用するセキュリティーセンサにおいて、
上記ベース部には可動爪機構を設けるとともに、上記ヘッド部には上記可動爪機構に係止される固定爪と、該ヘッド部の外側から上記可動爪機構を解除操作可能な可動爪操作手段とを設けた構造とされ、
上記可動爪機構は、上記ベース部の内部に、係止爪と受止片とを有した支持軸をロック方向に弾性付勢させて枢支させた構造とされ、
上記固定爪が上記可動爪機構の上記係止爪に係止するようにして上記ベース部と上記ヘッド部とを重ねあわせて結合させる一方、上記ヘッド部の上記可動爪操作手段を操作して、上記可動爪機構の上記受止片を押圧したときには、上記可動爪機構の上記係止爪と上記固定爪との係止を解除させて、上記ベース部と上記ヘッド部とを取外し出来る構造にしているセキュリティーセンサ。
【請求項２】
請求項１において、
上記可動爪機構は、上記支持軸に持上片を更に設けた構造とされるとともに、上記ヘッド部は、上記持上片に対応した受止部を設けた構造とされており、
上記可動爪操作手段によって、上記可動爪機構の上記受止片が押圧操作されたときには、
上記可動爪機構の上記持上片で上記ヘッド部の上記受止部を持上げて、上記ヘッド部をベース部に対して隙間を生じる程度に分離させる構造にしているセキュリティーセンサ。
【請求項３】
請求項１、２のいずれかにおいて、
上記可動爪操作手段は、上記ヘッド部にリリーススイッチを設けて構成されており、
上記リリーススイッチを押圧操作して、上記可動爪機構の上記受止片を押圧することによって、上記係止爪と上記固定爪との係止を解除させて、上記ヘッド部と上記ベース部とを取り外し可能にしているセキュリティーセンサ。
【請求項４】
請求項１、２のいずれかにおいて、
上記可動爪操作手段は、上記ヘッド部から上記ベース部の内部に至る貫通孔で構成されており、
上記貫通孔から操作治具を挿入して、上記ベース部の内部に設けた上記可動爪機構の上記受止片を押圧することによって、上記係止爪と上記固定爪との係止を解除させて、上記ヘッド部と上記ベース部とを取り外し可能にしているセキュリティーセンサ。
【請求項５】
請求項３において、
上記リリーススイッチは、その操作部本体を、指が挿入できない程度の小さい挿入口を有した、上記ヘッド部に形成した貫通孔に遊嵌させた構造としているセキュリティーセンサ。
【請求項６】
請求項４において、
上記貫通孔は、指が挿入できない程度の小さい挿入口を有しているセキュリティーセンサ。
【発明の詳細な説明】
【技術分野】
【０００１】
本発明は、天井面や壁面などに取付けられるセキュリティーセンサに関するものである。
【背景技術】
【０００２】
この種のセキュリティーセンサは、天井面などに固着したベース部にヘッド部を取り付ける構造になっている。図９に示した構造のものでは、ベース部１０１にヘッド部１０２を被せ、ヘッド部１０２に設けたネジ挿入穴１０２ａに取付ネジ１０３を挿入し、この取付ネジ１０３をベース部１０１を固定している。
しかしながら、このような構造のセキュリティーセンサでは、外部の者でも、ドライバーを使って取付けネジ１０３を緩めると、簡単にヘッド部１０２を取り外すことができ、取付けネジを緩める作業もヘッド部の一部を保持しなくてもよいので、取付けネジ１０３を緩めて作業を行っている最中に、ヘッド部１０２がベース部１０１から不用意に外れて落下してしまうなどの問題がある。
【０００３】
そこで、このような作業時の不慮な落下を防止するため、下記の特許文献には、ロックボタンを付加した構造のセキュリティーセンサが提案されている。
すなわち、図１０（ａ），（ｂ）は、この特許文献に開示された住宅用火災警報器を示すもので、住宅用火災警報器は、天上面Ｐなどに取り付けるベース部３０１と、このベース部３０１に着脱可能に装着されるヘッド部３０２とからなる。ベース部３０１のヘッド部着脱面３１１にはロック穴３０１ａを設ける一方、ヘッド部３０２には、スプリングなどの弾性力で常時突出させたロック部材３０５ａと、このロック部材３０５ａを弾性力に抗して後退させる解除ボタン３０５ｃとを備えたロック解除手段３０５を設け、ベース部３０１に形成した係合孔３０１ｂに、ヘッド部３０２に突出させた係合爪（不図示）を嵌入させて、ヘッド部３０２を回動させれば、ロック部材３０５ａは弾性力によってロック穴３０１ａに嵌込んで回転操作を阻止するので取り外しが不能となり、一方、解除ボタン３０５ａを押圧保持すれば、ロック部材３０５ａは、ロック穴３１０ａしてから抜け出るので、その状態でヘッド部３０２を反転させれば、ヘッド部３０２をベース部３０１から取り外し出来るようになっている。
【０００４】
しかしながら、このような構造のものでは、解除ボタン３０５ａを押圧操作した状態でヘッド部１０２を回動させるだけで、ヘッド部３０２をベース部３０１から取り外せるため、外部の者でも簡単に取り外すことができ、また、解除ボタン３０５ａがヘッド部３０２より突出しているため外観上も目立ち、悪戯対策や防犯対策上問題があった。
【特許文献１】特開２００３−９９８７５号公報
【発明の開示】
【発明が解決しようとする課題】
【０００５】
本発明は、上記した従来の問題に鑑みてなされたものであって、ベース部からヘッド部を簡単に取り外すことができないようにして、外部の者が悪戯等でヘッド部を取り外すことを防ぐことができるともに、ヘッド部をベース部から取り外す作業時などでも、ヘッド部が不用意に落下することのないセキュリティーセンサを提供することを目的とする。
【課題を解決するための手段】
【０００６】
したがって、本発明は、上記課題を解決するために提案されたものであって、請求項１に記載の発明は、天井面や壁面などに取付けられるベース部に、感知部を内蔵したヘッド部を着脱可能に取り付けて使用するセキュリティーセンサにおいて、上記ベース部には可動爪機構を設けるとともに、上記ヘッド部には上記可動爪機構に係止される固定爪と、該ヘッド部の外側から上記可動爪機構を解除操作可能な可動爪操作手段とを設けた構造とされ、上記可動爪機構は、上記ベース部の内部に、係止爪と受止片とを有した支持軸をロック方向に弾性付勢させて枢支させた構造とされ、上記固定爪が上記可動爪機構の上記係止爪に係止するようにして上記ベース部と上記ヘッド部とを重ねあわせて結合させる一方、上記ヘッド部の可動爪操作手段を操作して、上記可動爪機構の上記受止片を押圧したときには、上記可動爪機構の上記係止爪と上記固定爪との係止を解除させて、上記ベース部と上記ヘッド部とを取外し出来る構造にしたセキュリティーセンサを提案している。
【０００７】
また、請求項２に記載の本発明は、請求項１において、上記可動爪機構は、上記支持軸に持上片を更に設けた構造とされるとともに、上記ヘッド部は、上記持上片に対応した受止部を設けた構造とされており、上記可動爪操作手段によって、上記可動爪機構の上記受止片が押圧操作されたときには、上記可動爪機構の上記持上片で上記ヘッド部の上記受止部を持上げて、上記ヘッド部をベース部に対して隙間を生じる程度に分離させる構造にしているセキュリティーセンサを提案している。
【０００８】
更に、請求項３に記載の本発明は、請求項１、２のいずれかにおいて、上記可動爪操作手段は、上記ヘッド部にリリーススイッチを設けて構成されており、上記リリーススイッチを押圧操作して、上記可動爪機構の上記受止片を押圧することによって、上記係止爪と上記固定爪との係止を解除させて、上記ヘッド部と上記ベース部とを取り外し可能にしているセキュリティーセンサを提案している。
【０００９】
請求項４に記載の本発明は、請求項１、２のいずれかにおいて、上記可動爪操作手段は、上記ヘッド部から上記ベース部の内部に至る貫通孔で構成されており、上記貫通孔から操作治具を挿入して、上記ベース部の内部に設けた上記可動爪機構の上記受止片を押圧することによって、上記係止爪と上記固定爪との係止を解除させて、上記ヘッド部と上記ベース部とを取り外し可能にしているセキュリティーセンサを提案している。
【００１０】
請求項５に記載の本発明は、請求項３において、上記リリーススイッチは、その操作部本体を、指が挿入できない程度の小さい挿入口を有した、上記ヘッド部に形成した貫通孔に遊嵌させた構造としているセキュリティーセンサを提案している。
【００１１】
請求項６に記載の本発明は、請求項４において、上記貫通孔は、指が挿入できない程度の小さい挿入口を有しているセキュリティーセンサを提案している。
【発明の効果】
【００１２】
請求項１に記載の発明によれば、ヘッド部の外側から操作可能な可動爪操作手段を設けているので、ヘッド部を手や治具で押さえるか、保持した状態でなければ、ベース部から取り外すことができないので、ヘッド部を取外す場合には、手や治具で支えられるので、不用意に落下することがない。
請求項２に記載の発明によれば、可動爪操作手段を操作して、可動爪機構を作動させたときには、ヘッド部をベース部に対して隙間が生じる程度に浮き上げることができるので、ヘッド部の取り外しを容易かつ簡単に行うことができる。
請求項３に記載の発明によれば、リリーススイッチを押圧操作するだけでベース部の係止片とヘッド部の係止を解除できるので、より一層操作が容易で且つ確実に行うことができる。
請求項４に記載の発明によれば、操作治具をヘッド部の貫通孔に挿入するだけで、ベース部の係止片とヘッド部の固定爪との係止を解除させて、ベース部からヘッド部を取り外す操作を容易に行うことができる。また、貫通孔には指が挿入できない挿入口を形成すれば、指だけではこの解除操作ができずに悪戯によってヘッド部を取り外すことを防ぐこともできる。
また、請求項５，６に記載の発明によれば、リリースボタンを遊嵌させた貫通孔の挿入口や、治具を挿入させる貫通孔の挿入口は指が容易に入らず、外部からも目立たないので、悪戯や防犯対策上望ましい構造にできる。
【発明を実施するための最良の形態】
【００１３】
以下、本発明に係るセキュリティーセンサの実施形態を、図を参照しつつ説明する。
図１は本発明の要部となる可動爪機構を示し、（ａ）そのロック状態を示す部分断面図、（ｂ）はロック解除の状態を示す部分断面図、図２は可動爪機構を示す部分斜視図である。
このセキュリティーセンサＡは、天井面に取り付ける人体検知センサとして構成されており、図４に示したように、ベース部１と、ヘッド部２とが着脱可能に形成されている。
可動爪機構１０は、図５、図６に示されているように、ベース部１内の外周近傍箇所に、固定爪機構１６の爪係止穴１７に対峙して設けられている。
ここに、可動爪機構１０は、図２に示されているように、上向き三方に向けて設けられた係止爪１１と受止片１２と持上片１４を設けた支持軸１３を備えており、この持上片１４に対応したヘッド部２の箇所には受止部２ｂが設けられている。そして、支持軸１３はスプリングなどの弾性体１５によって係止片１１に、固定爪２ａを係止させる方向に弾性付勢されている。
この可動爪機構１０では、ベース部２に対応して設けた固定爪２ａに、係止爪１１を係止させることでロック状態に保持するようにしている。
【００１４】
一方の固定爪機構１６は、図５に示すように、ヘッド部２に形成した爪係止穴１７と、これに対応させてベース部１に形成した固定爪２ｃとを組み合わせて構成され、ヘッド部２とベース部１とを整合させて重ね合わせたときに、固定爪２ｃを爪係止穴１７に嵌入させて固定する構造になっている。
【００１５】
また、可動爪操作手段２０は、図１及び図４に示したように、ヘッド部２に穿設された貫通孔２１内に上下移動可能に嵌め入れられたリリーススイッチ２２を設けて構成している。ここに、リリーススイッチ２２は、図１や図４に示したように、ヘッド部２の外周部分に貫通孔２１よりその頭部を露見させているが、その頭部は、貫通孔２１より突出させたり、埋没させて設けてもよい。
前者の場合、指で押圧するだけで操作できるので、操作性は良くなるが、後者の場合は、治具を挿入するなどしないと操作できないため、悪戯防止の観点からは極めて望ましい。
このような構造によれば、ヘッド部２とベース部１とを整合させて重ね合わせたときには、図１（ａ）に示したように、ベース部１に設けた可動爪機構１０の係止片１１に、ヘッド部２に設けた固定爪２ａが係止されてロック状態となり、ヘッド部２とベース部１とは、図７（ａ）に示した状態に固定される。
【００１６】
しかし、一方、リリーススイッチ２２を押圧操作すると、貫通孔２１に挿入されたリリーススイッチ２２の先端で可動爪機構１０の受止片１２が押し下げられ、支持軸１３が弾性力に反抗して時計方向に回動し、それによって係止爪１１とヘッド部２の固定爪２ａとの係止状態が解除された状態となり、これと同時に、持上片１４の上向きの回動によって、図１（ｂ）に示したように、この持上片１４がヘッド部２の受止部２ｂを持ち上げ、そのため、ヘッド部２とベース部１とは、図７（ｂ）に示したように、隙間Ｓが生じる程度に分離される。
【００１７】
図３は、セキュリティーセンサの縦断面構造を示す図である。
センサＡは、ヘッド部２の内側部分に赤外線透過性の良好な素材で形成されたドーム２４を設け、その内部に赤外線センサーを含んだ感知部３が配置されている。
本発明では、この感知部３を煙感知部、熱感知部、ガス漏れ検知部などに置き換えて使用すれば、火災センサー、ガス漏れセンサーとしても使用できる。
図４はセキュリティーセンサの外観と分解状態を示す斜視図である。
センサＡは、この図に示したように、ヘッド部２が下向きになるようにして天井等に取り付けられ、ベース部１にヘッド部２を着脱可能に取り付けできる構造とされている。また、ベース部１の外周部には、ヘッド部２を回動調整するための回動調整手段の操作部３２ａが設けられている。
【００１８】
図５はセキュリティーセンサの内部構造を示す分解斜視図である。
センサＡは、図５に示すように、ベース部１とヘッド部２とを分解した状態では、ベース部１側には、可動爪機構１０と、固定爪機構１６を構成する係止爪２ｃと、後述する回転ベース２６を回転可能に支持するための、取付ベース２５に突出形成した一組のガイド突片１８、１８が突出形成され、更に連結端子ブロック３０が搭載されている。
また、ヘッド部２側には可動爪機構１０に対応した固定爪２ａと、固定爪機構１６を構成する係止爪２ｃとが対向配置されている。
図６はセキュリティーセンサのベース部を更に詳細に示す平面図である。
図６に示すように、センサＡのベース部１は、電源線を導入する入線孔２５ａと、ビスなどを挿入して天井面に取り付けるための一組の取付孔２７、２７とを形成した取付ベース２５と、その内部に回動可能に収容される回転ベース２６とを組み合わされて構成されており、回転ベース２６の開口部２６ａには、取付ベース２５より突出させた一組のガイド突片１８、１８を突出させて回転可能に支持している。
【００１９】
図７はセキュリティーセンサＡの外観を示し、（ａ）はそのベース部１にヘッド部２を取り付けて結合させた状態を示す斜視図であり、（ｂ）は、可動爪操作手段２０を操作して、ベース部１とヘッド部２との間に隙間を形成した状態を示す斜視図である。
本発明の望ましい実施例では、センサＡは、ベース部１とヘッド部２とは、図７（ａ）に示すように一体的に取り付けられた状態で天井等に取り付けられ、図７（ｂ）に示すように、リリーススイッチ２２を押圧操作すると、ベース部１とヘッド部２との間に隙間Ｓができるので、この隙間Ｓを更に開いてベース部１からヘッド部２を簡単に取り外しできる。
【００２０】
図８は可動爪操作手段の他例を示す部分拡大断面図である。
この図に示すものは、ヘッド部２の貫通孔２１にリリーススイッチ２２が嵌め込まれておらず、この貫通孔２１にドライバー等の操作治具４を挿入することによって、ベース部１の内部にある可動爪機構１０の受止片１２を直接押圧して、係止爪１１と固定爪２ａとの係止を解除させるようにしている。
このような構造によれば、貫通孔２１を形成する際、ドライバーなどの指よりも十分に小さい挿入口に形成しておけば、悪戯や防犯対策上から特に有益である。
なお、基本的な動作は、前述の例と同様なので省略する。
また、可動爪操作手段としては、前記の実施例に限定されず、例えば、引き紐を取り付けて、それを引き操作したときに、係止爪と固定爪との係止を解除するようにしてもよい。
さらに、可動爪操作手段を構成した場合、ロック解除時に成形バネや反転バネを組み合わせ設けてクリック感が得られるようにすれば、操作性がより改善することはいうまでもない。
【図面の簡単な説明】
【００２１】
【図１】本発明に係るセキュリティーセンサの要部を構成する可動爪機構を示しており、（ａ）はそのロック状態を示す部分断面図、（ｂ）はロック解除の状態を示す部分断面図である。
【図２】可動爪機構を示す部分斜視図である。
【図３】セキュリティーセンサの縦断面構造図である。
【図４】セキュリティーセンサを天井面に取付た状態と、ヘッド部をベース部から取外した状態を示す斜視図である。
【図５】セキュリティーセンサの内部構造を示す分解斜視図である。
【図６】セキュリティーセンサのベース部の構造を示す平面図である。
【図７】セキュリティーセンサの外観を示し、（ａ）はそのベース部にヘッド部を取り付けた結合状態を示す斜視図、（ｂ）はそのベース部からヘッド部を取り外す際の状態を示す斜視図である。
【図８】爪操作手段の他例を示す縦断面構造図である。
【図９】従来のセキュリティーセンサを示す斜視図である。
【図１０】ロック手段を備えた従来のセキュリティーセンサの基本構造を示し、（ａ）はその正面図、（ｂ）はそのベースを示す平面図である。
【符号の説明】
【００２２】
Ａ        セキュリティーセンサ
１        ベース部
２        ヘッド部
３        感知部
１０      可動爪機構
１１      係止爪
１２      受止片
１３      支持軸
１４      持上片
２ａ      可動爪機構の係止爪に対応した固定爪
２ｂ      受止部
１６      固定爪機構
２ｃ      係止爪
１７      爪係止穴
２０      可動爪操作手段
２１      貫通孔
２２      リリーススイッチ
【図１】
2005157623.tif 000003
【図２】
2005157623.tif 000004
【図３】
2005157623.tif 000005
【図４】
2005157623.tif 000006
【図５】
2005157623.tif 000007
【図６】
2005157623.tif 000008
【図７】
2005157623.tif 000009
【図８】
2005157623.tif 000010
【図９】
2005157623.tif 000011
【図１０】
2005157623.tif 000012